(57)【特許請求の範囲】
【請求項１】
制御を受けて動作するかご扉を有するエレベータかごの内部と、前記エレベータかごが停止する複数のエレベータ乗場であって制御を受けて動作する乗場扉が設けられた前記複数のエレベータ乗場との少なくともいずれかに設置され、設置された場所に存在する人物の顔を撮影する撮影カメラから、前記撮影カメラによって撮影された人物の顔である顔データを入力する顔データ入力部と、
前記顔データ入力部によって入力された前記顔データに相当するデータが、少なくとも一人の特定人物の顔の画像データが予め格納されている顔データベースに存在するかどうかを判定し、判定結果を生成する顔データ判定部と、
前記顔データ判定部によって生成された前記判定結果を送信する判定結果送信部と
を有する判定装置と、
前記判定結果送信部によって送信された前記判定結果を受信する判定結果受信部と、
前記判定結果受信部によって受信された前記判定結果が前記顔データに相当する前記画像データが前記顔データベースに存在することを示している場合には、前記エレベータかごの運行を予め定められた制御手順で制御するとともに、前記かご扉と前記複数のエレベータ乗場のうちの所定の前記エレベータ乗場の前記乗場扉との動作を、予め定められた手順で制御するエレベータ制御部と
を有するエレベータ制御装置と
を備え、
前記顔データ入力部は、
前記複数のエレベータ乗場に設置された前記撮影カメラによって撮影された顔データである乗場顔データを入力し、
前記顔データ判定部は、
前記乗場顔データに相当する前記画像データが前記顔データベースに存在すると判定すると、前記乗場顔データを撮影した前記撮影カメラの設置された前記エレベータ乗場を示すカメラ設置位置情報を前記判定結果に含め、
前記エレベータ制御部は、
前記判定結果受信部によって受信された前記判定結果が前記乗場顔データに相当する前記画像データが前記顔データベースに存在することを示す場合には、前記判定結果に含まれる前記カメラ設置位置情報を参照することによって、前記カメラ設置位置情報の示す前記エレベータ乗場以外の所定の前記エレベータ乗場に前記エレベータかごを停止させるとともに、前記かご扉と前記エレベータかごを停止させた前記エレベータ乗場の前記乗場扉とを開いた状態で、前記停止させた前記エレベータかごを待機させることを特徴とするエレベータ制御システム。
【請求項２】
前記エレベータ制御システムは、さらに、
前記判定結果送信部の送信した前記判定結果を受信する受信部と、
前記受信部によって受信された前記判定結果が前記乗場顔データに相当する前記画像データが前記顔データベースに存在することを示している場合には、前記判定結果に含まれる前記カメラ設置位置情報を参照することによって、前記カメラ設置位置情報の示す前記エレベータ乗場以外の前記エレベータ乗場に設置された情報表示装置と前記エレベータかごの内部に設置された情報表示装置とに、特定人物が検出されたことを示す検出表示を表示する表示制御部と
を有する表示制御装置を備えたことを特徴とする請求項１記載のエレベータ制御システム。
【請求項３】
前記エレベータ制御部は、
前記複数のエレベータ乗場と前記エレベータかごの内部とに設置されたそれぞれの操作盤に対する人の操作による入力に基づいて前記エレベータかごの運行を制御するとともに、前記判定結果受信部によって受信された前記判定結果が前記顔データに相当する前記画像データが前記顔データベースに存在することを示している場合には、前記操作盤に対する人の操作による入力を無効とすることを特徴とする請求項１〜２のいずれかに記載のエレベータ制御システム。
【請求項４】
制御を受けて動作するかご扉を有するエレベータかごの内部と、前記エレベータかごが停止する複数のエレベータ乗場であって制御を受けて動作する乗場扉が設けられた前記複数のエレベータ乗場との少なくともいずれかに設置され、設置された場所に存在する人物の顔を撮影する撮影カメラから、前記撮影カメラによって撮影された人物の顔である顔データを入力し、入力された前記顔データに相当するデータが、少なくとも一人の特定人物の顔の画像データが予め格納されている顔データベースに存在するかどうかを判定し、判定結果を送信する判定装置から、前記判定結果を受信する判定結果受信部と、
前記判定結果受信部によって受信された前記判定結果が前記顔データに相当する前記画像データが前記顔データベースに存在することを示している場合には、前記エレベータかごの運行を予め定められた制御手順で制御するとともに、前記かご扉と前記複数のエレベータ乗場のうちの所定の前記エレベータ乗場の前記乗場扉との動作を、予め定められた手順で制御するエレベータ制御部と
を備えたエレベータ制御装置であって、
前記判定装置は、
前記複数のエレベータ乗場に設置された前記撮影カメラによって撮影された顔データである乗場顔データを入力すると共に、
前記判定装置は、
前記乗場顔データに相当する前記画像データが前記顔データベースに存在すると判定すると、前記乗場顔データを撮影した前記撮影カメラの設置された前記エレベータ乗場を示すカメラ設置位置情報を前記判定結果に含め、
前記エレベータ制御部は、
前記判定結果受信部によって受信された前記判定結果が前記乗場顔データに相当する前記画像データが前記顔データベースに存在することを示す場合には、前記判定結果に含まれる前記カメラ設置位置情報を参照することによって、前記カメラ設置位置情報の示す前記エレベータ乗場以外の所定の前記エレベータ乗場に前記エレベータかごを停止させるとともに、前記かご扉と前記エレベータかごを停止させた前記エレベータ乗場の前記乗場扉とを開いた状態で、前記停止させた前記エレベータかごを待機させることを特徴とするエレベータ制御装置。
【発明の詳細な説明】
【技術分野】
【０００１】
この発明は、エレベータを利用する指名手配犯などの特定の人物を検出し、検出された特定の人物の存在情報を他のエレベータ利用者に通知するエレベータ防犯システムに関する。
【背景技術】
【０００２】
従来技術として、特開２００７−２２７７６号公報（特許文献１）がある。特許文献１では、エレベータのかごに設置されたカメラによって顔認証を行い、その認証データと、警察から配信された指名手配犯のデータベースとの照合を行う。そして、乗客が指名手配犯であると判定した場合に、警察や遠隔保守センタ及びビルのオーナー室へ通報を実施する。【０００３】
特許文献１では、指名手配犯が乗場に現れたとき、その指名手配犯は、その時点では利用許可認証されないためエレベータを利用できない。しかしながら、例えば、指名手配犯が建物の１階にいると検知された場合、２階や３階の上方階にいる乗客は、指名手配犯と判定された者が存在することを知るすべが無い。また、上方階の乗客が指名手配犯がエレベータを待つ１階に行く場合、指名手配犯と乗客が出会ってしまう。【０００４】
また、この場合、上方階から１階に降りた乗客が利用したエレベータかごに指名手配犯が乗り込むことによって、指名手配犯がその建物に侵入することが可能となってしまう。さらにこの場合、途中で乗り込む乗客が指名手配犯とかご内で乗り合わせてしまうことにもありうる。
【特許文献１】特開２００７−２２７７６号公報
【発明の開示】
【発明が解決しようとする課題】
【０００５】
この発明は、指名手配犯と判定された人物がエレベータの設置された建物に侵入することを防ぐことを目的とする。また一般の乗客に、指名手配犯と判定された人物がエレベータのかご内あるいはエレベータ乗場に存在することを認識させることを目的とする。
【課題を解決するための手段】
【０００６】
この発明のエレベータ制御システムは、
制御を受けて動作するかご扉を有するエレベータかごの内部と、前記エレベータかごが停止する複数のエレベータ乗場であって制御を受けて動作する乗場扉が設けられた前記複数のエレベータ乗場との少なくともいずれかに設置され、設置された場所に存在する人物の顔を撮影する撮影カメラから、前記撮影カメラによって撮影された人物の顔である顔データを入力する顔データ入力部と、
前記顔データ入力部によって入力された前記顔データに相当するデータが、少なくとも一人の特定人物の顔の画像データが予め格納されている顔データベースに存在するかどうかを判定し、判定結果を生成する顔データ判定部と、
前記顔データ判定部によって生成された前記判定結果を送信する判定結果送信部と
を有する判定装置と、
前記判定結果送信部によって送信された前記判定結果を受信する判定結果受信部と、
前記判定結果受信部によって受信された前記判定結果が前記顔データに相当する前記画像データが前記顔データベースに存在することを示している場合には、前記エレベータかごの運行を予め定められた制御手順で制御するとともに、前記かご扉と前記複数のエレベータ乗場のうちの所定の前記エレベータ乗場の前記乗場扉との動作を、予め定められた手順で制御するエレベータ制御部と
を有するエレベータ制御装置と
を備えたことを特徴とする。【０００７】
前記顔データ入力部は、
前記複数のエレベータ乗場に設置された前記撮影カメラによって撮影された顔データである乗場顔データを入力し、
前記顔データ判定部は、  
前記乗場顔データに相当する前記画像データが前記顔データベースに存在すると判定すると、前記乗場顔データを撮影した前記撮影カメラの設置された前記エレベータ乗場を示すカメラ設置位置情報を前記判定結果に含め、
前記エレベータ制御部は、
前記判定結果受信部によって受信された前記判定結果が前記乗場顔データに相当する前記画像データが前記顔データベースに存在することを示す場合には、前記判定結果に含まれる前記カメラ設置位置情報を参照することによって、前記カメラ設置位置情報の示す前記エレベータ乗場以外の所定の前記エレベータ乗場に前記エレベータかごを停止させるとともに、前記かご扉と前記エレベータかごを停止させた前記エレベータ乗場の前記乗場扉とを開いた状態で、前記停止させた前記エレベータかごを待機させることを特徴とする。【０００８】
前記エレベータ制御システムは、さらに、
前記判定結果送信部の送信した前記判定結果を受信する受信部と、
前記複数のエレベータ乗場と前記エレベータかごの内部とに配置された情報表示装置に情報を表示するととともに、前記受信部によって受信された前記判定結果が前記乗場顔データに相当する前記画像データが前記顔データベースに存在することを示している場合には、前記判定結果に含まれる前記カメラ設置位置情報を参照することによって、前記カメラ設置位置情報の示す前記エレベータ乗場以外の前記エレベータ乗場に設置された前記情報表示装置と前記エレベータかごの内部に設置された前記情報表示装置とに、特定人物が検出されたことを示す検出表示を表示する表示制御部と
を有する表示制御装置を備えたことを特徴とする。【０００９】
前記顔データ入力部は、
前記エレベータかごの内部に設置された前記撮影カメラによって撮影された前記エレベータかごの内部に存在する人物の顔データであるかご内顔データを入力し、
前記エレベータ制御部は、
前記判定結果受信部によって受信された前記判定結果が前記かご内顔データに相当する画像データが前記顔データベースに存在することを示している場合には、所定のエレベータ乗場に前記エレベータかごを停止させるとともに、前記かご扉と前記エレベータかごを停止させた前記エレベータ乗場の前記乗場扉とを開いた状態で、前記エレベータかごを待機させることを特徴とする。【００１０】
前記顔データ入力部は、
前記エレベータかごの内部に設置された前記撮影カメラによって撮影された前記エレベータかご内に存在する人物の顔データであるかご内顔データを入力し、
前記顔データ判定部は、
前記顔データ入力部によって入力された前記かご内顔データに基づいて、入力された前記かご内顔データに相当するデータが前記顔データベースに存在するかどうかと、前記エレベータかご内に存在する人物が１名かどうかとを判定し、
前記エレベータ制御部は、
前記判定結果受信部によって受信された前記判定結果が前記かご内顔データに相当する前記画像データが前記顔データベースに存在し、かつ、前記エレベータかごの内部に存在する人物が１名であることを示している場合には、前記エレベータかごを所定の前記エレベータ乗場に停止させるとともに、前記かご扉を閉じた状態で、前記停止させた前記エレベータかごを待機させることを特徴とする。【００１１】
前記エレベータ制御システムは、さらに、
前記判定結果送信部の送信した前記判定結果を受信する受信部と、
前記複数のエレベータ乗場と前記エレベータかごの内部とに配置された情報表示装置に情報を表示するとともに、前記受信部によって受信された前記判定結果が前記かご内顔データに相当する前記画像データが前記顔データベースに存在することを示している場合には、前記複数のエレベータ乗場に設置された前記情報表示装置にのみ、特定人物が検出されたことを示す検出表示を表示する表示制御部と
を有する表示制御装置を備えたことを特徴とする。【００１２】
前記エレベータ制御部は、
前記複数のエレベータ乗場と前記エレベータかごの内部とに設置されたそれぞれの操作盤に対する人の操作による入力に基づいて前記エレベータかごの運行を制御するとともに、前記判定結果受信部によって受信された前記判定結果が前記顔データに相当する前記画像データが前記顔データベースに存在することを示している場合には、前記操作盤に対する人の操作による入力を無効とすることを特徴とする。【００１３】
この発明のエレベータ制御装置は、
制御を受けて動作するかご扉を有するエレベータかごの内部と、前記エレベータかごが停止する複数のエレベータ乗場であって制御を受けて動作する乗場扉が設けられた前記複数のエレベータ乗場との少なくともいずれかに設置され、設置された場所に存在する人物の顔を撮影する撮影カメラから、前記撮影カメラによって撮影された人物の顔である顔データを入力し、入力された前記顔データに相当するデータが、少なくとも一人の特定人物の顔の画像データが予め格納されている顔データベースに存在するかどうかを判定し、判定結果を送信する判定装置から、前記判定結果を受信する判定結果受信部と、
前記判定結果受信部によって受信された前記判定結果が前記顔データに相当する前記画像データが前記顔データベースに存在することを示している場合には、前記エレベータかごの運行を予め定められた制御手順で制御するとともに、前記かご扉と前記複数のエレベータ乗場のうちの所定の前記エレベータ乗場の前記乗場扉との動作を、予め定められた手順で制御するエレベータ制御部と
を備えたことを特徴とする。【００１４】
前記エレベータ制御部は、
前記複数のエレベータ乗場と前記エレベータかごの内部とに設置されたそれぞれの操作盤に対する人の操作による入力に基づいて前記エレベータかごの運行を制御するとともに、前記判定家か受信部によって受信された前記判定結果が前記顔データに相当する前記画像データが前記顔データベースに存在することを示している場合には、前記操作盤に対する人の操作による入力を無効とすることを特徴とする。
【発明の効果】
【００１５】
この発明により、指名手配犯と判定された人物が建物に侵入することを防ぐことができる。また一般の乗客に、指名手配犯と判定された人物がエレベータのかご内あるいはエレベータ乗場に存在することを認識させることができる。
【発明を実施するための最良の形態】
【００１６】
実施の形態１．
図１から図９を参照して、実施の形態１を説明する。実施の形態１は、エレベータ防犯システム１００（エレベータ制御システム）に関する実施形態である。エレベータ防犯システム１００では、エレベータのかごａ２の内部と、かごａ２が停止する複数の乗場ａ１との少なくともいずれかに設置され、設置された場所に存在する人物の顔を撮影するカメラａ３−１，ａ３−２は、認証サーバａ１３に、撮影した顔データを入力する。認証サーバａ１３は、指名手配犯の顔データが格納されている指名手配犯データベースｂ４を参照し、入力された顔データが指名手配犯のものかどうかを判定する。エレベータ制御装置ａ１１は、認証サーバａ１３によって指名手配犯の顔データと判定されると、かごａ２の運行を所定の制御手順で制御し、かつ、かご扉ａ２−１と所定の乗場扉ａ１−１との動作を、所定の手順で制御する。また、インフォメーション制御装置ａ１０は、認証サーバａ１３によって指名手配犯の顔データと判定されると、所定の乗場ａ１のディスプレイａ５−１に、指名手配犯を検知した情報を表示する。これらにより、指名手配犯と判定された人物が建物に侵入することを防ぐことができる。また一般の乗客に、指名手配犯と判定された人物がエレベータのかご内あるいはエレベータ乗場に存在することを認識させることができる。以下に詳しく説明する。【００１７】
図１は、実施の形態１のエレベータ防犯システム１００（エレベータ制御システム）の全体構成図である。図１において符号「ａ２０」で示す破線は、エレベータを備えた一つの建物を示す。この建物ａ２０は、例えば、集合住宅である。エレベータ防犯システム１００は、認証サーバａ１３、エレベータ制御装置ａ１１、インフォメーション制御装置ａ１０を備えている。認証サーバａ１３は遠隔保守センタａ１４に接続している。また遠隔保守センタａ１４は警察等の施設ａ１５に接続している。また、認証サーバａ１３は、エレベータ制御装置ａ１１に接続している。エレベータ制御装置ａ１１はインフォメーション制御装置ａ１０に接続している。【００１８】
（乗場ａ１）
乗場ａ１には、乗場ａ１の映像を撮影する撮影カメラａ３−１（以下、カメラという）、指紋認証等の生体認証を行う認証装置ａ４−１、エレベータかごａ２（以下、かごという）が位置する階床等のエレベータの運行情報や、お知らせなどを表示するディスプレイａ５−１が設置されている。なお、乗場ａ１は、エレベータのかごａ２が停止する複数の乗場が存在するが、図１は、その中の一つの乗場ａ１を示している。すなわち、カメラａ３−１、認証装置ａ４−１、ディスプレイａ５−１等は、複数の乗場のそれぞれに設置されている。乗場ａ１には、エレベータ制御部ｂ１１により制御される乗場扉ａ１−１が設置されている。【００１９】
（かごａ２）
かごａ２には、かごａ２内の映像を映し出すカメラａ３−２、指紋認証等の生体認証を行う認証装置ａ４−２、階床等のエレベータの運行情報やお知らせなどを表示させるディスプレイａ５−２が設置されている。かごａ２は、エレベータ制御部ｂ１１により制御されるかご扉ａ２−１を有する。【００２０】
（認証装置）
認証装置ａ４−１、ａ４−２は、例えば集合住宅である建物ａ２０の住人であるかを判定し、電気錠のロックを解除するなどの認証装置を想定している。本実施の形態１のエレベータ防犯システム１００では、認証装置ａ４−１、ａ４−２は、なくても構わない。【００２１】
防災センタａ１２には認証サーバａ１３が設置されている。認証サーバａ１３は、指名手配犯の顔データや、生体認証データについての指名手配犯データベースｂ４（後述する）を備えている。この指名手配犯データベースｂ４のデータは、警察等の施設ａ１５から遠隔保守センタａ１４に配信される。そして、遠隔保守センタａ１４から各建物ａ２０ごとに設置されている認証サーバａ１３に配信される。【００２２】
建物ａ２０のエレベータ機械室ａ９には、エレベータを制御するエレベータ制御装置ａ１１と、ディスプレイａ５−１、ａ５−２の表示を制御するインフォメーション制御装置ａ１０が設置されている。【００２３】
図２は、実施の形態１におけるエレベータ防犯システム１００の認証サーバａ１３、エレベータ制御装置ａ１１、インフォメーション制御装置ａ１０のハードウェア資源の一例を示す図である。認証サーバａ１３、エレベータ制御装置ａ１１、インフォメーション制御装置ａ１０は、いずれも図２に示すようなハードウェア資源を有するコンピュータである。以下、図２は認証サーバａ１３として説明するが、エレベータ制御装置ａ１１、インフォメーション制御装置ａ１０についても、認証サーバａ１３の説明がそのまま当てはまる。図２において、認証サーバａ１３は、プログラムを実行するＣＰＵ８１０（Ｃｅｎｔｒａｌ  Ｐｒｏｃｅｓｓｉｎｇ  Ｕｎｉｔ：中央処理装置）を備えている。ＣＰＵ８１０は、バス８２５を介してＲＯＭ（Ｒｅａｄ  Ｏｎｌｙ  Ｍｅｍｏｒｙ）８１１、ＲＡＭ（Ｒａｎｄｏｍ  Ａｃｃｅｓｓ  Ｍｅｍｏｒｙ）８１２、表示部８１３、操作キー８１４、通信ボード８１６、磁気ディスク装置８２０と接続される。ＣＰＵ８１０は、これらのハードウェアデバイスを制御する。磁気ディスク装置８２０の代わりに、フラッシュメモリなどの記憶装置でもよい。【００２４】
ＲＡＭ８１２は、揮発性メモリの一例である。ＲＯＭ８１１、磁気ディスク装置８２０等の記憶媒体は、不揮発性メモリの一例である。これらは、記憶装置あるいは記憶部、格納部の一例である。通信ボード８１６、操作キー８１４などは、入力部、入力装置の一例である。また、通信ボード８１６、表示部８１３などは、出力部、出力装置の一例である。【００２５】
磁気ディスク装置８２０には、オペレーティングシステム８２１（ＯＳ）、プログラム群８２３、ファイル群８２４が記憶されている。プログラム群８２３のプログラムは、ＣＰＵ８１０、オペレーティングシステム８２１により実行される。【００２６】
上記プログラム群８２３には、以下に述べる実施の形態の説明において「〜部」として説明する機能を実行するプログラムが記憶されている。プログラムは、ＣＰＵ８１０により読み出され実行される。あるいは、上記プログラム群８２３は、ＲＯＭ８１１に記憶されても構わない。【００２７】
ファイル群８２４には、以下に述べる実施の形態の説明において、指名手配犯情報（指名手配犯の顔の画像データ）として説明する情報や、「〜の判定結果」、「〜の算出結果」、「〜の抽出結果」、「〜の生成結果」、「〜の処理結果」として説明する情報や、データや信号値や変数値やパラメータなどが、「〜ファイル」や「〜データベース」の各項目として記憶されている。「〜ファイル」や「〜データベース」は、ディスクやメモリなどの記録媒体に記憶される。ディスクやメモリなどの記憶媒体に記憶された情報やデータや信号値や変数値やパラメータは、読み書き回路を介してＣＰＵ８１０によりメインメモリやキャッシュメモリに読み出され、抽出・検索・参照・比較・演算・計算・処理・出力・表示などのＣＰＵの動作に用いられる。抽出・検索・参照・比較・演算・計算・処理・出力・表示のＣＰＵの動作の間、情報やデータや信号値や変数値やパラメータは、メインメモリやキャッシュメモリやバッファメモリに一時的に記憶される。【００２８】
また、以下に述べる実施の形態の説明において、「〜部」、として説明するものは、「〜手段」、「〜装置」「〜回路」、「〜機器」であってもよく、また、「〜ステップ」、「〜手順」、「〜処理」であってもよい。すなわち、「〜部」として説明するものは、ＲＯＭ８１１に記憶されたファームウェアで実現されていても構わない。或いは、ソフトウェアのみ、或いは、素子・デバイス・基板・配線などのハードウェアのみ、或いは、ソフトウェアとハードウェアとの組み合わせ、さらには、ファームウェアとの組み合わせで実施されても構わない。プログラムは、ＣＰＵ８１０により読み出され、ＣＰＵ８１０により実行される。すなわち、プログラムは、以下に述べる「〜部」としてコンピュータを機能させるものである。【００２９】
図３は、エレベータ防犯システム１００の備える認証サーバａ１３、エレベータ制御装置ａ１１、インフォメーション制御装置ａ１０のそれぞれのブロック図である。【００３０】
認証サーバａ１３は、指名手配犯データベース受信部ｂ１、指名手配犯検知情報発報部ｂ２、指名手配犯認証部ｂ３、指名手配犯データベースｂ４、指名手配犯検知情報通知部ｂ５、認証装置データ受信部ｂ６、映像受信部ｂ７を備える。これらの詳しい機能は、動作の説明で後述する。指名手配犯データベース受信部ｂ１は、遠隔保守センタａ１４から指名手配犯の顔画像データなどの指名手配犯情報を受信する。映像受信部ｂ７には、カメラａ３−１、カメラａ３−２からの映像データが入力される。【００３１】
エレベータ制御装置ａ１１は、指名手配犯検知情報受信部ｂ８、制御情報作成部ｂ９、制御情報送信部ｂ１０、エレベータ制御部ｂ１１を備える。エレベータ制御部ｂ１１は、かごａ２の運行を制御するとともに、かご扉ａ２−１、乗場扉ａ１−１の動作を制御する。【００３２】
インフォメーション制御装置ａ１０は、制御情報受信部ｂ１２、インフォメーション表示情報選択部ｂ１３、映像受信部ｂ１４、インフォメーション出力部ｂ１５を備える。映像受信部ｂ１４には、カメラａ３−１、カメラａ３−２からの映像データが入力される。インフォメーション出力部ｂ１５は、ディスプレイａ５−１、ａ５−２に情報を出力して表示させる。【００３３】
（動作の説明）
以下、図４〜図９のフローチャートを用いて、エレベータ防犯システム１００の動作を説明する。【００３４】
（認証サーバａ１３による指名手配犯の認識処理）
図４は、認証サーバａ１３の指名手配犯の認識処理のフローチャートである。図４を参照して、認証サーバａ１３による指名手配犯の認識処理を説明する。【００３５】
（乗場ａ１で指名手配犯検出）
乗客がエレベータの乗場ａ１に現れたとき、認証サーバａ１３では、映像受信部ｂ７が、乗場ａ１に設置されたカメラａ３−１から送られてくる映像（乗場顔データ）を受信（ｈ１）する。そして、指名手配犯認証部ｂ３は、映像受信部ｂ７により受信された映像によって、乗客が現れたことを認識し、指名手配犯データベースｂ４に存在する顔の画像データと、得られた映像データに含まれる顔の画像（顔データ）とを比較（ｈ３）し（ｈ２でＮＯの場合）、その人物が指名手配犯であるかどうかを判定する（ｈ５）。【００３６】
この判定には、乗場カメラａ３−１の映像データだけでなく、生体認証情報を用いても構わない。すなわち、認証装置データ受信部ｂ６が、乗場ａ１に設置された認証装置ａ４−１から生体認証情報（例えば指紋情報）を受信し、その生体認証情報を指名手配犯データベースｂ４のデータと比較する（ｈ４）ことで、前記乗客が指名手配犯かどうかを判定しても構わない。【００３７】
（かごａ２内部で指名手配犯検出）
また、乗場ａ１に認証装置ａ４−１が無い場合やエレベータが戸開状態のため、指名手配犯が、かごａ２内に乗り込んだ場合、認証サーバａ１３では、映像受信部ｂ７が、かごａ２内に設置されたカメラａ３−２の映像データ（かご内顔データ）を受信し、また、認証装置データ受信部ｂ６が、認証装置ａ４−２により認証されたデータを受信（ｈ１）する。そして、指名手配犯認証部ｂ３が、その乗客が指名手配犯であるかどうかを判定する（ｈ３）、（ｈ５）。この判定は、乗客が乗場ａ１にいる場合と同じである。【００３８】
（検知情報の生成）
指名手配犯認証部ｂ３は、乗客が指名手配犯であると判定すると指名手配犯を検知したことを示す「検知情報」（判定結果の一例）を生成し、指名手配犯検知情報通知部ｂ５を介してエレベータ制御装置ａ１１へ、その「検知情報」を送信する（ｈ７）。指名手配犯認証部ｂ３には、それぞれの乗場ａ１に設置されたそれぞれのカメラａ３−１からの映像データが入力される。この場合、指名手配犯認証部ｂ３は、入力した映像データを撮影したカメラａ３−１、及びそのカメラａ３−１の設置場所を認識可能である。指名手配犯が乗場ａ１で検出された場合、指名手配犯認証部ｂ３は、指名手配犯の映像データを撮影した撮影カメラの設置されているエレベータ乗場を示す「カメラ設置位置情報」を「検知情報」に含める。また、指名手配犯がかごａ２内で検出された場合、かごａ２内で検出されたことを示す情報を「検知情報」に含める。なお、後述のように、指名手配犯がいなくなったことを示す「検知情報」もある。【００３９】
また同時に、指名手配犯認証部ｂ３は、指名手配犯検知情報発報部ｂ２を介して遠隔保守センタａ１４に指名手配犯検知情報を発報する。これにより、遠隔保守センタａ１４は、警察等の施設ａ１５に通報を行うことができる（ｈ８）。【００４０】
（認証サーバａ１３による指名手配犯情報の受信）
図５は、認証サーバａ１３が、指名手配犯データベースｂ４を更新するフローチャートである。図５に示すように、認証サーバａｌ３では、指名手配犯データベース受信部ｂ１が、警察等の施設ａ１５から遠隔保守センタａ１４に送信されてきた指名手配情報を受信（ｇ１）し、受信した指名手配情報を指名手配犯データベースｂ４に反映する（ｇ２）。【００４１】
（エレベータ制御装置ａ１１の制御情報作成部ｂ９の動作）
図６は、エレベータ制御装置ａ１１の制御情報作成部ｂ９の動作を示すフローチャートである。図６を参照して制御情報作成部ｂ９の動作を説明する。エレベータ制御装置ａ１１では、指名手配犯検知情報受信部ｂ８が、認証サーバａ１３からの「検知情報」を受信する（ｃ１）。制御情報作成部ｂ９は、受信された「検知情報」が指名手配犯の検知を示す場合（ｃ２）、制御情報にこの「検知情報」を付加（ｃ３）し、検知情報の付加された制御情報をエレベータ制御部ｂ１１へ送信（ｃ５）する。また制御情報作成部ｂ９は、制御情報送信部ｂ１０を介して、この検知情報が付加された制御情報をインフォメーション制御装置制御情報に送信（ｃ６）する。【００４２】
（エレベータ制御部ｂ１１の動作）
図７，８は、エレベータ制御部ｂ１１の動作を示すフローチャートである。図７は、指名手配犯を検知した場合のエレベータ制御部ｂ１１の動作であり、かご扉２−１を開けた状態でかごａ２を待機させる場合を示す。図８は、指名手配犯を検知した場合のエレベータ制御部ｂ１１の動作であり、かご扉２−１を閉じた状態でかごａ２を待機させる場合を示す。図７，８を参照してエレベータ制御部ｂ１１の動作を説明する。【００４３】
（操作盤に対する操作の無効処理）
エレベータ制御部ｂ１１は、制御情報作成部ｂ９から送信された制御情報を受信（ｄ１）し、その制御情報に指名手配犯の検知を示す検知情報が含まれる場合（ｄ２）、そのエレベータのかごａ２内に設置されている操作盤（図示していない）の操作ボタンを操作できないように制御（ｄ３）するとともに、そのエレベータのかごａ２が停止するすべての乗場ａ１に設置されている操作盤（図示していない）の操作ボタンの操作を出来ないように制御（ｄ４）する。すなわち、前記エレベータ制御部ｂ１１は、通常運転時には複数のエレベータ乗場とエレベータのかご内とに設置された操作盤に対する人の操作による入力に基づいてエレベータかごの運行を制御するが、指名手配犯検知情報受信部ｂ８により受信された「制御情報」（判定結果）に指名手配犯の検知を示す検知情報が含まれる場合には、前記操作盤に対する人の操作による入力を無効とする。【００４４】
（かごａ２の運行制御）
（１．指名手配犯を乗場ａ１で検知）
このとき、エレベータ制御部ｂ１１は、指名手配犯が乗場ａ１で検知された場合は、指名手配犯が検知された階以外の階でかごａ２を停止させ、戸開待機（ｄ５）させる。すなわちエレベータ制御部ｂ１１は、指名手配犯が乗場ａ１で検知された場合、検知情報に含まれるカメラ設置位置情報を参照することにより、カメラ設置位置情報の示すエレベータ乗場以外の所定のエレベータ乗場にかごａ２を停止させるとともに、かご扉２−１とかごａ２を停止させたエレベータ乗場の乗場扉ａ１−１とを開いた状態で、停止させたかごａ２を待機させる。【００４５】
（２．指名手配犯をかごａ２内で検知）
指名手配犯が、かごａ２内で検知された場合は、エレベータ制御部ｂ１１は、途中の「乗場呼び」及び「かご呼び」に応じること無く、かごａ２を玄関階などのあらかじめ決められた階へ運行し、扉を開いて待機状態（ｄ５）させる。すなわちエレベータ制御部ｂ１１は、指名手配犯がかごａ２内部で検知された場合、所定のエレベータ乗場にかごａ２を停止させるとともに、かご扉ａ２−１とかごａ２を停止させたエレベータ乗場の乗場扉１−１とを開いた状態で、かごａ２を待機させる。【００４６】
指名手配犯をかごａ２内で検知した場合は、図８（ｅ５）に示すように戸開状態でかごａ２を待機させるのではなく、かごａ２のかご扉ａ２−１を開かないように制御して、指名手配犯をかごａ２に閉じ込めても構わない。この場合には、認証サーバａ１３の指名手配犯認証部ｂ３は、かごａ２に設置されたカメラａ３−２からの映像データに基づいて、乗客が指名手配犯かどうかを判定することに加え、かごａ２内に存在する乗客が１名かどうかも判定する。そして、指名手配犯認証部ｂ３は、乗客が指名手配犯と判定し、かつ、かごａ２内部には指名手配犯のみが存在すると判定すると、指名手配犯の検知と、乗客が指名手配犯のみであることを示す「検知情報」を生成する。エレベータ制御部ｂ１１は、指名手配犯検知情報受信部ｂ８により受信された制御情報に含まれる「検知情報」を参照することで、「かごａ２の乗客が指名手配犯のみ」かどうかを判定することができる（ｅ２）。エレベータ制御部ｂ１１は、「検知情報」によって「かごａ２の乗客が指名手配犯のみ」と判定すると、かごａ２を所定の乗場ａ１に停止させるとともに、かご扉ａ２−１を閉じた状態で、停止させたかごａ２を待機させることにより、指名手配犯をかごａ２内に閉じ込める。【００４７】
（表示制御装置ａ１０の動作）
図９は、インフォメーション制御装置ａ１０のインフォメーション表示情報選択部ｂ１３の動作を示すフローチャートである。図９を参照してインフォメーション表示情報選択部ｂ１３の動作を説明する。【００４８】
（１．指名手配犯を乗場ａ１で検知）
インフォメーション制御装置ａ１０では、制御情報受信部ｂ１２が、エレベータ制御装置ａ１１の制御情報送信部ｂ１０から送信された制御情報（検知情報が含まれている）を受信する（ｆ１）。インフォメーション表示情報選択部ｂ１３は、受信された「制御情報」が指名手配犯の検知を示す「検知情報」を含む場合（ｆ２）には、指名手配犯が検知された場所を判定する（ｆ３）。インフォメーション表示情報選択部ｂ１３は、指名手配犯が乗場ａ１で検知されたと判定した場合（ｆ３のＮＯ）は、
（１）映像受信部ｂ１４がそれぞれの乗場ａ１に設置されたカメラａ３−１から受信しているそれぞれの乗場ａ１の映像と、
（２）指名手配犯の似顔絵や手配写真、氏名などの情報と、
（３）現在指名手配犯を検知中である旨のメッセージ（検出表示の一例）と
を同時に表示させる映像信号を、インフォメーション出力部ｂ１５を介してディスプレイａ５−１に出力する（ｆ５）。
なお、「（２）指名手配犯の似顔絵や手配写真、氏名などの情報」は、例えば、次のようにして得ることができる。認証サーバａ１３の指名手配犯データベースｂ４には、顔データとともに「（２）指名手配犯の似顔絵や手配写真、氏名などの情報」が格納されている。そして、認証サーバａ１３は、指名手配犯の検知を示す「検知情報」を生成する場合、「（２）指名手配犯の似顔絵や手配写真、氏名などの情報」を含めて、「検知情報」を生成する。エレベータ制御装置ａ１１は、インフォメーション制御装置ａ１０に制御情報を送信する際に、「検知情報」の含まれた制御情報を送信するが、この「検知情報」にも「（２）指名手配犯の似顔絵や手配写真、氏名などの情報」を含めるようにすればよい。また、「（１）映像受信部ｂ１４がそれぞれの乗場ａ１に設置されたカメラａ３−１から受信しているそれぞれの乗場ａ１の映像」に関しては、インフォメーション表示情報選択部ｂ１３は、「検知情報」に含まれる「カメラ設置位置情報」をもとに、該当するカメラからの映像を選択することができる。【００４９】
このとき、インフォメーション表示情報選択部ｂ１３は、指名手配犯が検知された乗場ａ１のディスプレイａ５−１には通常状態のインフォメーションを表示させ、それ以外の乗場ａ１のディスプレイａ５−１及びかごａ２のディスプレイａ５−２には、指名手配犯の検知された階の乗場ａ１の映像と、指名手配犯の似顔絵や手配写真、氏名などの情報と、「１階に指名手配犯を検知しましたため現在通報中です。危険なためエレベータを利用できません」などのメッセージ（検出表示の一例）を表示させる。【００５０】
（２．かごａ２内で検知）
インフォメーション表示情報選択部ｂ１３は、かごａ２内で指名手配犯が検知された場合（ｆ３のＹＥＳ）は、映像受信部ｂ１４がかごａ２に設置されたカメラ３ａ−２から受信したかごａ２内の映像と、指名手配犯の似顔絵や手配写真、氏名などの情報と、現在指名手配犯を検知中である旨のメッセージ（検出表示の一例）とを同時に表示させる映像信号を、インフォメーション出力部ｂ１５に出力する（ｆ４）。【００５１】
このとき、インフォメーション表示情報選択部ｂ１３は、指名手配犯が検知されたかごａ２のディスプレイａ５−２には通常状態のインフォメーションを表示をさせ、それぞれの乗場ａ１のディスプレイａ５−１には、指名手配犯の検知されたかごａ２の映像と、指名手配犯の似顔絵や手配写真、指名などの情報と、「かごａ２内に指名手配犯を検知したため現在通報中です。危険なためエレベータを利用できません」などのメッセージ（検出表示の一例）とを表示させる。【００５２】
（指名手配犯がいなくなったとき）
（認証サーバａ１３）
認証サーバａ１３の映像受信部ｂ７が受信している乗場ａ１及びかごａ２内の映像データにおいて、指名手配犯と判定される人物が存在しなくなった段階で、指名手配犯認証部ｂ３は、指名手配犯が立ち去ったことを判定し、指名手配犯と判定される人物がいなくなったことを示す「検知情報」（以下、非検知情報という場合がある）を生成する。そして、指名手配犯認証部ｂ３は、指名手配犯検知情報通知部ｂ５を介して、エレベータ制御装置ａ１１に「検知情報」を送信する。【００５３】
（エレベータ制御装置ａ１１）
エレベータ制御装置ａ１１の指名手配犯検知情報受信部ｂ８は、認証サーバａ１３からの「検知情報」を受信する（ｃ１）。制御情報作成部ｂ９は、受信された「検知情報」が指名手配犯の非検知情報の場合（ｃ２）、制御情報にこの「非検知情報」を付加（ｃ４）し、その「制御情報」をエレベータ制御部ｂ１１へ送信（ｃ５）し、また制御情報送信部ｂ１０を介して、インフォメーション制御装置ａ１０にも送信（ｃ６）する。【００５４】
エレベータ制御部ｂ１１は、制御情報作成部ｂ９から送信された「制御情報」を受信し（ｄ１）、その「制御情報」が非検知情報を含む場合（ｄ２）、操作をできないようにしていたエレベータのかごａ２内の操作盤の操作ボタンと乗場に設置された操作盤の乗場ボタンとの操作ができるように復帰させ（ｄ６、ｄ７）、エレベータの運行を通常状態に戻す（ｄ８）。【００５５】
（インフォメーション制御装置ａ１０）
インフォメーション制御装置ａ１０では、制御情報受信部ｂ１２がエレベータ制御装置ａ１１から送信された制御情報を受信する（ｆ１）。インフォメーション表示情報選択部ｂ１３は、、受信された「制御情報」が非検知情報を含む場合（ｆ２）、インフォメーション出力部ｂ１５を介して、通常状態のインフォメーション表示の映像をそれぞれの乗場ａ１のディスプレイａ５−１、及びかごａ２内のディスプレイａ５−２に出力する（ｆ６）。ここでの通常状態のインフォメーション表示とは、エレベータの位置や運行情報やお知らせ及び、かごａ２のカメラａ３−２、乗場ａ１のカメラａ３−１の映像などである。【００５６】
以上の実施の形態１のエレベータ防犯システム１００は、かご及び乗場に設置されたカメラによる顔認証及び指紋照合装置などの生体認証装置によって認証された乗客と、警察等の施設から配信された指名手配犯のデータベースとを照合し、指名手配犯がエレベータを利用しようとしていることを検知する。指名手配犯を検知した場合は、遠隔保守センタを通じて警察等の施設へ通報するとともに、かごや乗場の操作ボタンを操作できないように制御し、指名手配犯がエレベータを利用できないようにする。また、かご及び乗場に設置されたインフォメーション装置のうち、指名手配犯の検知されているかご及び乗場以外のインフォメーション装置に、指名手配犯の情報及び指名手配犯が検知されている旨のメッセージと、指名手配犯を検知している「かご」もしくは乗場のカメラの映像を表示させる。これによって、指名手配犯がビル内に侵入するのを防ぐことができるとともに、一般の乗客に指名手配犯が検知されていることを知らせることにより、一般の乗客が指名手配犯とかご内もしくは乗場で出会ってしまうことを防ぐことができる。【００５７】
以上の実施の形態１のエレベータ防犯システム１００は、かご、もしくは乗場にいる人物が指名手配犯であると検知すると、警察や遠隔保守センタに通報するとともに、エレベータの操作ボタンを操作できないようにエレベータを制御し、また、乗場やかごに設置された表示装置に指名手配犯の検知情報を表示する。これにより、指名手配犯がビルに侵入することを防ぐことが出来る。また、一般の乗客が、かご内および乗場に指名手配犯がいることを認識することが出来る。【００５８】
以上の実施の形態では、次のようなエレベータ防犯システム１００を説明した。すなわちエレベータ防犯システム１００は、認証サーバａ１３、エレベータ制御装置ａ１１、インフォメーション制御装置ａ１０等を備える。認証サーバａ１３は、エレベータのかご内及び乗場に設置されたカメラによる映像及び生体認証装置によるデータ及び警察等の施設から配信された指名手配犯のデータベース等に基づき、かご内あるいは乗場にいる人物が指名手配犯かどうかを判定する。エレベータ制御装置は、その人物が指名手配犯と判定された場合に、かご及び乗場の操作盤の操作をできないようにエレベータを制御する。【００５９】
以上の実施の形態では、次のようなエレベータ防犯システム１００を説明した。すなわち、エレベータ防犯システム１００は、認証サーバが指名手配犯と判定した場合に、エレベータ制御装置は、指名手配犯が乗場で検知されたときはその階以外の階にかごを戸開待機させ、指名手配犯がかご内で検知されたときはあらかじめ定めされた階でかご戸開待機もしくは戸閉待機させる。そして、エレベータ制御装置は、かご内及び乗場に指名手配犯と判定される人物がいなくなるまで待機状態を維持する。【００６０】
以上の実施の形態では、次のようなエレベータ防犯システム１００を説明した。すなわち、認証サーバが指名手配犯と判定した場合に、インフォメーション制御装置ａ１０は、かご及び乗場に指名手配犯の情報及び指名手配犯が検知されている旨のメッセージと、指名手配犯を検知しているかごもしくは乗場のカメラの映像を表示する。【００６１】
以上の実施の形態では、次のようなエレベータ防犯システム１００を説明した。すなわち、認証サーバは、乗客が指名手配犯である判定した場合に、警察等の施設へ指名手配犯を検知したことを発報する。
【図面の簡単な説明】
【００６２】
【図１】実施の形態１のエレベータ防犯システム１００のシステム構成図。
【図２】実施の形態１の認証サーバａ１３等のハードウェア構成図。
【図３】実施の形態１の認証サーバａ１３、エレベータ制御装置ａ１１、インフォメーション制御装置ａ１０のブロック図。
【図４】実施の形態１の認証サーバａ１３の指名手配犯の判定動作を示すフローチャート。
【図５】実施の形態１の認証サーバａ１３の指名手配犯データベースｂ４の更新のフローチャート。
【図６】実施の形態１の制御情報作成部ｂ９の動作を示すフローチャート。
【図７】実施の形態１のエレベータ制御部ｂ１１の動作を示すフローチャート。
【図８】実施の形態１のエレベータ制御部ｂ１１の動作を示すもう一つのフローチャート。
【図９】実施の形態１のインフォメーション表示情報選択部ｂ１３の動作を示すフローチャート。
【符号の説明】
【００６３】
ａ１  乗場、ａ１−１  乗場扉、ａ２−１  かご扉、ａ２  かご、ａ３−１  カメラ、ａ３−２  カメラ、ａ４−１  認証装置、ａ４−２  認証装置、ａ５−１  ディスプレイ、ａ５−２  ディスプレイ、ａ９  エレベータ機械室、ａ１０  インフォメーション制御装置、ａ１１  エレベータ制御装置、ａ１２  防災センタ、ａ１３  認証サーバ、ａ１４  遠隔保守センタ、ａ１５  警察等の施設、ｂ１  指名手配犯データベース受信部、ｂ２  指名手配犯検知情報発報部、ｂ３  指名手配犯認証部、ｂ４  指名手配犯データベース、ｂ５  指名手配犯検知情報通知部、ｂ６  認証装置データ受信部、ｂ７  映像受信部、ｂ８  指名手配犯検知情報受信部、ｂ９  制御情報作成部、ｂ１０  制御情報送信部、ｂ１１  エレベータ制御部、ｂ１２  制御情報受信部、ｂ１３  インフォメーション表示情報選択部、ｂ１４  映像受信部、ｂ１５  インフォメーション出力部、１００  エレベータ防犯システム。
【図１】
0005404423.tif 000002
【図２】
0005404423.tif 000003
【図３】
0005404423.tif 000004
【図４】
0005404423.tif 000005
【図５】
0005404423.tif 000006
【図６】
0005404423.tif 000007
【図７】
0005404423.tif 000008
【図８】
0005404423.tif 000009
【図９】
0005404423.tif 000010